(57)【要約】【課題】細胞及び又は微生物を培養する培養容器の使用を適切に管理することが可能なシステムを提供する。【解決手段】培養容器の使用管理システムは、例えばシングルユース製品としての培養容器の使用を管理する。ＩＤ情報取得手段は、培養容器についてのＩＤ情報を取得し、判断手段は、取得されたＩＤ情報に基づいて、培養容器の使用を禁止すべきか否かを判断する。例えば、判断手段は、ＩＤ情報に基づいて、培養容器が使用済みであるか否かを判断し、培養容器が使用済みであると判断した場合に、培養容器の使用を禁止すべきであると決定する。【選択図】図１
2014126377.tif 000002
【特許請求の範囲】
【請求項１】
細胞及び又は微生物を培養するための培養装置と、前記培養装置で用いられる培養容器と、を少なくとも有する培養容器の使用管理システムであって、
前記培養容器についてのＩＤ情報を取得するＩＤ情報取得手段と、
前記ＩＤ情報に基づいて、前記培養容器の使用を禁止すべきか否かを判断する判断手段と、
を備えることを特徴とする培養容器の使用管理システム。
【請求項２】
前記判断手段は、前記ＩＤ情報に基づいて、前記培養容器が使用済みであるか否かを判断し、前記培養容器が使用済みであると判断した場合に、前記培養容器の使用を禁止すべきであると決定する請求項１に記載の培養容器の使用管理システム。
【請求項３】
前記判断手段は、前記ＩＤ情報に基づいて、前記培養容器の使用期限が切れているか否かを判断し、前記培養容器の使用期限が切れていると判断した場合に、前記培養容器の使用を禁止すべきであると決定する請求項１又は２に記載の培養容器の使用管理システム。
【請求項４】
前記培養容器に付されており、当該培養容器についてのＩＤを有する所定の媒体を更に備え、
前記ＩＤ情報取得手段は、前記所定の媒体から前記ＩＤ情報を取得することを特徴とする請求項１乃至３のいずれか一項に記載の培養容器の使用管理システム。
【請求項５】
前記培養容器についてのＩＤが関連付けられたＩＣカードを更に備え、
前記ＩＤ情報取得手段は、前記ＩＣカードから前記ＩＤ情報を取得することを特徴とする請求項１乃至３のいずれか一項に記載の培養容器の使用管理システム。
【請求項６】
前記培養容器に付されており、当該培養容器についてのＩＤを有する所定の媒体と、
前記培養容器についてのＩＤが関連付けられたＩＣカードと、を更に備え、
前記ＩＤ情報取得手段は、前記所定の媒体及び前記ＩＣカードから、前記ＩＤ情報を取得することを特徴とする請求項１乃至３のいずれか一項に記載の培養容器の使用管理システム。
【請求項７】
前記所定の媒体は、ＩＣタグであることを特徴とする請求項４又は６に記載の培養容器の使用管理システム。
【請求項８】
前記ＩＣカードは、前記培養装置の運転を管理するために用いられることを特徴とする請求項５又は６に記載の培養容器の使用管理システム。
【請求項９】
前記培養装置と通信可能なサーバを更に備えており、
前記判断手段は、前記サーバに設けられることを特徴とする請求項１乃至８のいずれか一項に記載の培養容器の使用管理システム。
【請求項１０】
前記判断手段は、前記培養装置に設けられることを特徴とする請求項１乃至８のいずれか一項に記載の培養容器の使用管理システム。
【請求項１１】
培養装置にて細胞及び又は微生物が培養される容器であって、ＩＤが付されていることを特徴とする培養容器。
【発明の詳細な説明】
【技術分野】
【０００１】
本発明は、細胞及び又は微生物を培養する培養容器の使用を管理するシステムに関する。
【背景技術】
【０００２】
近年、バイオ医薬品の製造は、微生物や細胞の培養法により行われている。また、近年では、バイオ医薬品の製造は、ステンレス製容器からシングルユースの使い捨て製品（例えば培養バッグなど）へと移行している。シングルユース製品はあらかじめ洗浄及び滅菌されているため、定置洗浄（CIP：Cleaning in Place）や定置殺菌（SIP：Sterilizing in Place）の時間が不要となるため、非有効時間を減らすことができ、単位時間あたりの生産量を上げることが可能となる。
【０００３】
ここで、本発明に関連する技術が、例えば特許文献１乃至３に記載されている。特許文献１には、外部からの信号に応じて温度の上昇または下降が可能な温度昇降体によって形成された反応容器により、容器内に収容した液体の温度制御を行うことが記載されている。特許文献２には、コンテナ上のバーコードとバーコードスキャナとを含む装置において、バーコードで運転情報を管理することが記載されている。特許文献３には、赤血球を検出可能な使い捨ての光学式センサが記載されている。
【先行技術文献】
【特許文献】
【０００４】
【特許文献１】特開２０１１−２５０８０３号公報
【特許文献２】特許第４５５０１３１号公報
【特許文献３】特許第３４２６１７５号公報
【発明の概要】
【発明が解決しようとする課題】
【０００５】
ところで、上記したシングルユース製品として用いられる培養容器は、１回使用した後は使用すべきではない。しかしながら、従来のシステムでは、培養容器を１回しか使用できないことが保障されていない。そのため、培養容器が２回以上使用されてしまう場合がある。このように培養容器が２回以上使用されると、医薬品が人体に思わぬ影響を与えてしまう可能性がある。他方で、培養容器を洗浄及び滅菌することで、当該培養容器が再使用されてしまう場合もある。このように培養容器が再使用されると、培養不良や、製造したバイオ医薬品の純度低下などが生じてしまう可能性がある。
【０００６】
そこで、本発明は、細胞及び又は微生物を培養する培養容器の使用を適切に管理することが可能なシステムなどを提供することを主な目的とする。
【課題を解決するための手段】
【０００７】
本発明の１つの観点では、細胞及び又は微生物を培養するための培養装置と、前記培養装置で用いられる培養容器と、を少なくとも有する培養容器の使用管理システムは、前記培養容器についてのＩＤ情報を取得するＩＤ情報取得手段と、前記ＩＤ情報に基づいて、前記培養容器の使用を禁止すべきか否かを判断する判断手段と、を備える。
【発明の効果】
【０００８】
本発明によれば、培養容器についてのＩＤ情報に基づいて、培養容器の使用を禁止すべきか否かを判断することで、培養容器の使用を適切に管理することが可能となる。
【図面の簡単な説明】
【０００９】
【図１】本実施形態に係る培養バッグの使用管理システムの概略構成を示す。
【図２】本実施形態に係るシステムの基本機能を説明するための図を示す。
【図３】本実施形態に係る処理フローに示す。
【発明を実施するための形態】
【００１０】
以下、図面を参照しながら、本発明の実施の形態について説明する。
【００１１】
［システム構成］
図１は、本実施形態に係る培養バッグの使用管理システム１０の概略構成を示す図である。図１に示すように、培養バッグの使用管理システム１０（以下では単に「システム１０」とも表記する。）は、主に、培養バッグ１と、培養装置２と、ＩＣカード４と、サーバ５とを備える。このシステム１０は、バイオ医薬品を製造する際に用いられる培養バッグ１の使用を管理するために好適に利用される。
【００１２】
培養バッグ１は、内部で細胞及び又は微生物が培養される袋であり、バイオ医薬品の製造に用いられるシングルユースの使い捨て製品の一つである。培養バッグ１には、ＩＣタグ１ａが付されている。例えば、ＩＣタグ１ａは、培養バッグ１の下側に付されている。なお、図１では、立体的（３Ｄ）な培養バッグ１を示しているが、平面的（２Ｄ）な培養バッグ１を用いても良い。このような培養バッグ１は、本発明における「培養容器」の一例に相当する。なお、本発明における「培養容器」として、シングルユースの培養バッグ１を用いることに限定はされない。
【００１３】
ＩＣタグ１ａは、図示しないアンテナ及びメモリ機能を有するＩＣチップを備える。基本的には、ＩＣタグ１ａは、後述する培養装置２のリーダー２ｃが送信した電波によって微量な電力を回路内に発生させ、その電力で情報を処理して、リーダー２ｃに対して電波を送信する。ＩＣタグ１ａには、培養バッグ１についてのＩＤを示す情報や、培養バッグ１に関する情報などが記憶されている。例えば、培養バッグ１に関する情報としては、培養バッグ１が未使用であるか、それとも使用済みであるかを示す情報や、培養バッグ１の保証期限や、培養バッグ１の製造情報や、培養バッグ１におけるセンサの補正値や、培養バッグ１の品質情報などが挙げられる。
【００１４】
培養装置２は、主に、制御装置２ａと、バッグホルダー２ｂと、リーダー２ｃとを備える。培養装置２は、上記した培養バッグ１内で細胞及び又は微生物を培養するための種々の動作を行う装置である。バッグホルダー２ｂは、培養バッグ１を取り付け可能に構成されている。リーダー２ｃは、ＩＣタグ１ａが送信した電波を受信することで、ＩＣタグ１ａから情報を読み取る。例えば、リーダー２ｃは、バッグホルダー２ｂの下方に設けられる。
【００１５】
制御装置２ａは、筺体内にＣＰＵ等のプロセッサやメモリを備えており、培養に関する種々の制御を行う。制御装置２ａは、リーダー２ｃと接続されており、リーダー２ｃが読み取った情報を取得する。また、制御装置２ａは、サーバ５と接続（有線接続又は無線接続）されており、サーバ５との間で情報の授受を行う。更に、制御装置２ａは、ＩＣカード４を挿入できるように構成されており、ＩＣカード４が挿入された際にＩＣカード４から情報を読み取る。この場合、制御装置２ａは、ＩＣカード４によって培養装置２の運転を管理する。例えば、制御装置２ａは、ＩＣカード４が挿入されていない場合には培養装置２の運転を開始しないこととし、ＩＣカード４が挿入された場合に培養装置２の運転を開始することとする。
【００１６】
ＩＣカード４は、図示しないＩＣチップなどを備えており、上記したように培養装置２の運転を管理するために利用される。ＩＣカード４は、特定の１つの培養バッグ１に関連付けられている。つまり、１つの培養バッグ１につき、１つのＩＣカード４が提供される。ＩＣカード４と培養バッグ１とは、ＩＤ（番号でも良い）などで関連付けられる。また、ＩＣカード４には、培養バッグ１のＩＤを示す情報や、ＩＣカード４が未使用であるか、それとも使用済みであるかを示す情報（言い換えると、培養装置２を運転させるためにＩＣカード４が制御装置２ａで使用されたか否かを示す情報）などが記憶されている。
【００１７】
サーバ５は、培養装置２の制御装置２ａと接続（有線接続又は無線接続）されており、制御装置２ａとの間で情報の授受を行う。この場合、制御装置２ａとサーバ５とが直接接続されていることに限定はされず、所定の端末を介して制御装置２ａとサーバ５とが接続されていても良い。例えば、サーバ５は、バイオ医薬品の製造工場内に設けられている。また、サーバ５は、ネットワークを介して、所定の外部サーバに接続されている。
【００１８】
本実施形態では、培養バッグの使用管理システム１０は、培養バッグ１が未使用であるか、それとも使用済みであるかに応じて、当該培養バッグ１の使用を許可又は禁止する。具体的には、システム１０は、培養バッグ１が未使用である場合には当該培養バッグ１の使用を許可し、培養バッグ１が使用済みである場合には当該培養バッグ１の使用を禁止する。言い換えると、システム１０は、培養バッグ１が未使用である場合には当該培養バッグ１を用いた培養装置２での培養を許可し（つまり培養のための培養装置２の稼働を許可する）、培養バッグ１が使用済みである場合には当該培養バッグ１を用いた培養装置２での培養を禁止する（つまり培養のための培養装置２の稼働を禁止する）。
【００１９】
例えば、培養装置２の制御装置２ａは、培養バッグ１に付されたＩＣタグ１ａからリーダー２ｃが読み取った情報（以下では適宜「タグＩＤ情報」と呼ぶ。）、及び、ＩＣカード４から読み取った情報（以下では適宜「カードＩＤ情報」と呼ぶ。）をサーバ５に送信し、サーバ５は、制御装置２ａから受信したタグＩＤ情報及びカードＩＤ情報に基づいて、培養バッグ１が使用済みであるか否かを判断する。そして、サーバ５は、そのような判断結果に応じた情報を培養装置２の制御装置２ａに送信し、制御装置２ａは、サーバ５から受信した情報に基づいて、培養バッグ１の使用を許可又は禁止する。
【００２０】
なお、本実施形態においては、培養装置２の制御装置２ａは、本発明における「ＩＤ情報取得手段」の一例に相当し（サーバ５も、本発明における「ＩＤ情報取得手段」の一例に相当するとも言える）、サーバ５は、本発明における「判断手段」の一例に相当する。
【００２１】
また、上記した「タグＩＤ情報」及び「カードＩＤ情報」は、本発明における「ＩＤ情報」の一例に相当する。「タグＩＤ情報」及び「カードＩＤ情報」は、単にＩＤを示す情報であっても良いし、ＩＤに紐付いた情報（例えば培養バッグ１やＩＣカード４が使用済みであるか否かを示す情報など）であっても良い。なお、「ＩＤ」は「identification」の略である。
【００２２】
なお、培養バッグ１に関連付けられたＩＤから、培養バッグ１のセンサ（ｐＨやＤＯや温度など）の構成情報が得られるようにしても良い。加えて、培養装置２に培養条件を入力可能にしても良い。
【００２３】
［基本機能］
次に、図２を参照して、上記した本実施形態に係るシステム１０の基本機能の一例について説明する。ここでは、培養バッグ１及びＩＣカード４のそれぞれが未使用であるか、それとも使用済みであるかに応じて、培養バッグ１の使用を許可又は禁止する機能について説明する。培養バッグ１が使用済みであるか否かは、培養バッグ１に付されたＩＣタグ１ａから読み取られたタグＩＤ情報に基づいて判断され、ＩＣカード４が使用済みであるか否かは、ＩＣカード４から読み取られたカードＩＤ情報に基づいて判断される。
【００２４】
なお、ＩＣカード４が使用済みであると判断された場合には、そのＩＣカード４に関連付けられた培養バッグ１が使用済みである可能性がかなり高い。よって、上記のようにタグＩＤ情報及びカードＩＤ情報の両方に基づいて判断を行うことで、培養バッグ１が使用済みであるか否かをより正確に判断することが可能となる。例えば、実際には使用済みである培養バッグ１が未使用であるとタグＩＤ情報より判断されてしまうようなことがあったとしても、カードＩＤ情報に基づいてＩＣカード４が使用済みであるか否かを判断することにより、使用済みの培養バッグ１を適切に特定することが可能となる。
【００２５】
図２（ａ）は、培養バッグ１及びＩＣカード４の両方が未使用であると判断された場合を示している。この場合には、培養バッグ１の使用が許可され、培養のための培養装置２の稼働が許可される。図２（ｂ）は、培養バッグ１及びＩＣカード４の両方が使用済みであると判断された場合を示している。通常、１回使用された培養バッグ１が再使用された場合に、このような判断がなされることとなる。この場合には、培養バッグ１の使用が禁止され、培養のための培養装置２の稼働が禁止される。
【００２６】
図２（ｃ）は、培養バッグ１が使用済みであると判断され、ＩＣカード４が未使用であると判断された場合を示している。例えば、培養装置２を稼働し続けた状態で、培養バッグ１が洗浄・滅菌後に再使用された場合に、このような判断がなされることがある。この場合には、培養バッグ１の使用が禁止され、培養のための培養装置２の稼働が禁止される。図２（ｄ）は、培養バッグ１が未使用であると判断され、ＩＣカード４が使用済みであると判断された場合を示している。例えば、培養バッグ１をバッグホルダー２ｂにセットした状態を維持して、培養バッグ１が連続使用された場合に、このような判断がなされることがある。この場合にも、培養バッグ１の使用が禁止され、培養のための培養装置２の稼働が禁止される。
【００２７】
なお、上記したように制御装置２ａにてＩＣタグ１ａ及びＩＣカード４から情報が読み出された際に、読み出された情報をサーバ５に記憶させるようにしても良い。また、図２（ａ）に示したように培養バッグ１の使用を許可した後に、培養バッグ１が使用済みとなったことを示す情報、及びＩＣカード４が使用済みとなったことを示す情報を、サーバ５に記憶させても良い。更には、このようにサーバ５に記憶させる情報を、所定の外部サーバにも記憶させても良い。
【００２８】
［処理フロー］
次に、図３を参照して、本実施形態に係る処理フローについて説明する。この処理フローは、培養装置２及びサーバ５によって実行される。
【００２９】
まず、ステップＳ１０１では、培養装置２の電源がオンとなった際に、培養装置２のシステムを立ち上げる。この後、培養バッグ１がバッグホルダー２ｂに取り付けられた際に、リーダー２ｃが培養バッグ１に付されたＩＣタグ１ａからタグＩＤ情報を読み取り、制御装置２ａが当該タグＩＤ情報をサーバ５に送信する（ステップＳ１０２）。
【００３０】
サーバ５は、培養装置２の制御装置２ａから送信されたタグＩＤ情報を受信し（ステップＳ２０１）、当該タグＩＤ情報に基づいて、培養バッグ１が使用済みであるか否かを判断する。そして、サーバ５は、こうして培養バッグ１が使用済みであるか否かを判断した結果（以下では「バッグ使用判断結果」と呼ぶ。）を、培養装置２に送信する（ステップＳ２０２）。
【００３１】
例えば、サーバ５は、培養バッグ１が未使用であるか、それとも使用済みであるかを示す情報（以下では「バッグ使用情報」と呼ぶ。）を、培養バッグ１のＩＤごとに関連付けて記憶している。１つの例では、バッグ使用情報は、培養バッグ１が未使用である場合には「０」に設定され、培養バッグ１が使用済みである場合には「１」に設定される情報である。そして、サーバ５は、制御装置２ａよりタグＩＤ情報を受信した際に、当該タグＩＤ情報に対応するＩＤに関連付けられたバッグ使用情報を取得し、取得したバッグ使用情報に基づいて、培養バッグ１が使用済みであるか否かを判断する。なお、制御装置２ａより受信したタグＩＤ情報に、培養バッグ１が未使用であるか、それとも使用済みであるかを示す情報（１つの例では、培養バッグ１が未使用である場合には「０」に設定され、培養バッグ１が使用済みである場合には「１」に設定される情報）が含まれている場合には、上記したようなサーバ５に記憶されたバッグ使用情報を用いなくても良い。この場合には、タグＩＤ情報に含まれる情報に基づいて、培養バッグ１が使用済みであるか否かを判断すれば良い。
【００３２】
この後、培養装置２の制御装置２ａは、サーバ５から送信されたバッグ使用判断結果を受信し（ステップＳ１０３）、当該バッグ使用判断結果に基づいて、培養バッグ１が使用済みであるか否かを判断する（ステップＳ１０４）。培養バッグ１が使用済みである場合（ステップＳ１０４：Ｙｅｓ）、制御装置２ａは、培養バッグ１を使用すべきでないことを通知すべく、警告音を発生させる（ステップＳ１０９）。例えば、制御装置２ａは、リーダー２ｃから警告音を発生させる。そして、制御装置２ａは、培養バッグ１の使用を禁止し、培養のための培養装置２の稼働を禁止する（ステップＳ１１０）。この場合、制御装置２ａは、培養のためのシステムを起動させない。
【００３３】
他方で、培養バッグ１が使用済みでない場合（ステップＳ１０４：Ｎｏ）、つまり培養バッグ１が未使用である場合、制御装置２ａは、ＩＣカード４が挿入された際に、ＩＣカード４からカードＩＤ情報を読み取り、当該カードＩＤ情報をサーバ５に送信する（ステップＳ１０５）。
【００３４】
サーバ５は、培養装置２の制御装置２ａから送信されたカードＩＤ情報を受信し（ステップＳ２０３）、当該カードＩＤ情報に基づいて、ＩＣカード４が使用済みであるか否かを判断する。そして、サーバ５は、こうしてＩＣカード４が使用済みであるか否かを判断した結果（以下では「カード使用判断結果」と呼ぶ。）を、培養装置２に送信する（ステップＳ２０４）。
【００３５】
例えば、サーバ５は、ＩＣカード４が未使用であるか、それとも使用済みであるかを示す情報（以下では「カード使用情報」と呼ぶ。）を、ＩＣカード４のＩＤ（培養バッグ１のＩＤに対応する）ごとに関連付けて記憶している。１つの例では、カード使用情報は、ＩＣカード４が未使用である場合には「０」に設定され、ＩＣカード４が使用済みである場合には「１」に設定される情報である。そして、サーバ５は、制御装置２ａよりカードＩＤ情報を受信した際に、当該カードＩＤ情報に対応するＩＤに関連付けられたカード使用情報を取得し、取得したカード使用情報に基づいて、ＩＣカード４が使用済みであるか否かを判断する。なお、制御装置２ａより受信したカードＩＤ情報に、ＩＣカード４が未使用であるか、それとも使用済みであるかを示す情報（１つの例では、ＩＣカード４が未使用である場合には「０」に設定され、ＩＣカード４が使用済みである場合には「１」に設定される情報）が含まれている場合には、上記したようなサーバ５に記憶されたカード使用情報を用いなくても良い。この場合には、カードＩＤ情報に含まれる情報に基づいて、ＩＣカード４が使用済みであるか否かを判断すれば良い。
【００３６】
この後、培養装置２の制御装置２ａは、サーバ５から送信されたカード使用判断結果を受信し（ステップＳ１０６）、当該カード使用判断結果に基づいて、ＩＣカード４が使用済みであるか否かを判断する（ステップＳ１０７）。ＩＣカード４が使用済みである場合（ステップＳ１０７：Ｙｅｓ）、制御装置２ａは、培養バッグ１の使用を禁止し、培養のための培養装置２の稼働を禁止する（ステップＳ１１０）。この場合、制御装置２ａは、培養のためのシステムを起動させない。
【００３７】
他方で、ＩＣカード４が使用済みでない場合（ステップＳ１０７：Ｎｏ）、つまりＩＣカード４が未使用である場合、制御装置２ａは、培養バッグ１の使用を許可し、培養のための培養装置２の稼働を許可する（ステップＳ１０８）。この場合、制御装置２ａは、培養のためのシステムを起動させる。例えば、制御装置２ａは、培養条件などを入力可能な状態に設定する。
【００３８】
なお、ステップＳ１０８の後に（つまり培養バッグ１の使用を許可した後）、培養バッグ１が使用済みとなったこと、及びＩＣカード４が使用済みとなったことを、サーバ５に記憶させても良い。例えば、上記したバッグ使用情報及びカード使用情報を、「０」から「１」に書き換えると良い。他の例では、ステップＳ１０８の後に、培養バッグ１が使用済みとなったことをＩＣタグ１ａに記憶させると共に、ＩＣカード４が使用済みとなったことをＩＣカード４に記憶させても良い。例えば、ＩＣタグ１ａのタグＩＤ情報に含まれる培養バッグ１のステータスを、未使用から使用済みに書き換えると共に、ＩＣカード４のカードＩＤ情報に含まれるＩＣカード４のステータスを、未使用から使用済みに書き換えると良い。
【００３９】
なお、培養バッグ１を用いた培養が行われた後は、当該培養バッグ１のＩＤと同一のＩＤを有する培養バッグ１やＩＣカード４での培養を禁止すると良い。
【００４０】
なお、図３では、培養バッグ１が使用済みであるか否かを判断した後に、ＩＣカード４が使用済みであるか否かを判断する例を示したが、この代わりに、ＩＣカード４が使用済みであるか否かを判断した後に、培養バッグ１が使用済みであるか否かを判断しても良い。つまり、ＩＣカード４が制御装置２ａに挿入されて、培養装置２が稼働可能な状態となった後に、リーダー２ｃでＩＣタグ１ａから情報を読み取っても良い。
【００４１】
［本実施形態の作用・効果］
以上説明した本実施形態によれば、培養バッグ１に付されたＩＣタグ１ａ、及び培養バッグ１に関連付けられたＩＣカード４を用いることで、培養バッグ１の再使用を適切に防止することができる。よって、本実施形態によれば、培養バッグ１が１回しか使用できないことを適切に保障することが可能となる。
【００４２】
例えば、培養バッグ１が洗浄・滅菌後に再使用されそうになったとしても（この場合には、培養バッグ１が培養装置２から取り外される傾向にある）、ＩＣタグ１ａから読み取られた情報に基づいて、当該使用を適切に防止することができる。また、例えば、培養バッグ１が連続使用されそうになったとしても（この場合には、培養バッグ１が培養装置２に取り付けられた状態が維持されるが、その途中で培養装置２の稼働が一旦停止される傾向にある）、ＩＣカード４から読み取られた情報に基づいて、当該使用を適切に防止することができる。
【００４３】
［変形例］
以下では、上記した実施形態の変形例について説明する。なお、下記の変形例は、任意に組み合わせて実施形態に適用することができる。
【００４４】
（変形例１）
上記した実施形態では、培養装置２の制御装置２ａとサーバ５とが通信を行うことで、培養バッグ１の使用を禁止すべきか否かを判断する処理を行っていたが、サーバ５と通信を行うことなく、培養装置２の制御装置２ａが単独で当該処理を行っても良い。この場合には、制御装置２ａは、ＩＣタグ１ａから読み取られたタグＩＤ情報と、ＩＣカード４から読み取られたカードＩＤ情報とに基づいて、前述したような判断を行うこととなる。
【００４５】
更に他の例では、培養装置２の制御装置２ａとサーバ５とが通信を行う代わりに、制御装置２ａと所定の外部サーバとが通信を行うことで、培養バッグ１の使用を禁止すべきか否かを判断する処理を行っても良い。この場合、サーバ５を介して制御装置２ａと外部サーバとが通信を行う必要はなく、制御装置２ａと外部サーバとが直接通信を行っても良い。
【００４６】
（変形例２）
上記した実施形態では、培養バッグ１が使用済みである場合に当該培養バッグ１の使用を禁止していたが、培養バッグ１が培養の途中において培養装置２から一旦取り外された場合も、培養バッグ１が使用済みであることに含めて、当該培養バッグ１の使用を禁止しても良い。この場合、培養バッグ１が所定時間以上（例えば５分以上）取り外された後に培養装置２に再度取り付けられた場合に、培養バッグ１の使用を禁止することができる。例えば、ＩＣタグ１ａから情報を常時読み取ることで、培養バッグ１が培養装置２から取り外された時間を取得することができる。
【００４７】
更に他の例では、培養バッグ１の使用期限が切れている場合に、当該培養バッグ１の使用を禁止しても良い。例えば、培養バッグ１の保証期限の情報をＩＣタグ１ａに記憶させておくことで（つまり培養バッグ１の保証期限の情報をタグＩＤ情報に含めることで）、培養バッグ１の使用期限が切れているか否かを判断することができる。これにより、使用期限切れの培養バッグ１の使用を適切に防止することができる。
【００４８】
更に他の例では、培養バッグ１の使用時間が所定時間以上である場合に、当該培養バッグ１の使用を禁止しても良い。つまり、培養バッグ１の使用時間が所定時間以上となった際に、培養装置２の稼働を停止しても良い。例えば、サーバ５で培養バッグ１の使用時間を管理することで、培養バッグ１の使用時間が所定時間以上であるか否かを判断することができる。また、この所定時間としては、１回の培養に要する時間に応じた時間を用いることができる。
【００４９】
更に他の例では、培養バッグ１を培養装置２に取り付けた後に、培養バッグ１に関する不良（空気漏れや液漏れなど）が生じた場合に、当該培養バッグ１の使用を禁止しても良い。つまり、培養中において培養バッグ１に関する不良が生じた際に、培養装置２の稼働を停止しても良い。例えば、培養バッグ１に関する不良が生じた際に、サーバ５側で、カードＩＤ情報に含まれるＩＣカード４のステータスを未使用から使用済みに書き換えることで、この際に培養装置２の稼働を停止させることができる。
【００５０】
（変形例３）
上記した実施形態では、１つの培養バッグ１に対して１つのＩＣカード４が提供されていたが、この代わりに、２つ以上の培養バッグ１に対して１つのＩＣカード４が提供されても良い。つまり、１つのＩＣカード４を、２つ以上の培養バッグ１にて併用しても良い。この場合には、例えば、１つのＩＣカード４にて用いられる２つ以上の培養バッグ１ごとに異なるシリアル番号を割り当てることで、当該２つ以上の培養バッグ１を区別すれば良い。この例では、ＩＣカード４が制御装置２ａに挿入された際に、ユーザにシリアル番号を入力させることとし、入力されたシリアル番号から培養バッグ１を特定して前述した判断を行うことができる。培養バッグ１の特定は、制御装置２ａで行っても良いし、サーバ５などで行っても良い。
【００５１】
（変形例４）
上記した実施形態では、培養バッグ１に付されたＩＣタグ１ａ、及び培養バッグ１に関連付けられたＩＣカード４の両方を用いて、培養バッグ１の使用を禁止すべきか否かを判断する処理を行っていたが、ＩＣタグ１ａ及びＩＣカード４のいずれか一方のみを用いて当該処理を行っても良い。ＩＣタグ１ａのみを用いる場合には、ＩＣタグ１ａから読み取られたタグＩＤ情報より、培養バッグ１が使用済みであると判断された場合に、当該培養バッグ１の使用を禁止すれば良い。他方で、ＩＣカード４のみを用いる場合には、ＩＣカード４から読み取られたカードＩＤ情報より、ＩＣカード４が使用済みであると判断された場合に、当該ＩＣカード４に関連付けられた培養バッグ１の使用を禁止すれば良い。この場合には、培養装置２の稼働が禁止されることとなる。
【００５２】
このようにＩＣタグ１ａ及びＩＣカード４のいずれか一方のみを用いた場合にも、培養バッグ１の使用を禁止すべきか否かを適切に判断することができる。但し、ＩＣタグ１ａ及びＩＣカード４のいずれか一方のみを用いる場合よりも、上記した実施形態で示したようにＩＣタグ１ａ及びＩＣカード４の両方を用いた場合のほうが、培養バッグ１の使用を禁止すべきか否かをより適切に判断することができる。
【００５３】
（変形例５）
上記したＩＣカード４として、ネットワーク経由で課金できるものを用い、所定の金額の課金を条件として、培養装置２が稼働できるようにしても良い。
【００５４】
（変形例６）
ＩＣカード４と関連付けたＩＤを培養装置２にも付与することで、ＩＣカード４とＩＤが関連付けられた培養装置２でしか、当該ＩＣカード４が使用できないようにしても良い。つまり、ＩＣカード４とＩＤが関連付けられていない他の培養装置２では、当該ＩＣカード４が使用できないようにしても良い。
【００５５】
（変形例７）
上記した実施形態では、ＩＣタグ１ａから培養バッグ１のＩＤ情報を取得していたが、培養バッグ１のＩＤ情報をＩＣタグ１ａから取得することに限定はされない。他の例では、ＩＣタグ１ａの代わりにバーコードを培養バッグ１に付し、バーコードから培養バッグ１のＩＤ情報を取得しても良い。また、そのようなバーコードとして、二次元バーコードを用いても良い。
【符号の説明】
【００５６】
１  培養バッグ
１ａ  ＩＣタグ
２  培養装置
２ａ  制御装置
２ｃ  リーダー
４  ＩＣカード
５  サーバ
【図１】
2014126377.tif 000003
【図２】
2014126377.tif 000004
【図３】
2014126377.tif 000005